(57)【要約】      （修正有）【課題】三拍子歩行及び歩行校正用靴の底に関するものであり、より詳細には、三拍子歩行をしながら八字歩行を校正できる靴の底や、三拍子歩行をしながらうちわ歩行を校正できる靴の底を提供する。【解決手段】前方転がり部１１と中間転がり部１２と後方転がり部１３でなされた靴の底１の底面が弧形に形成されて、前記中間転がり部１２は前後方転がり部１１、１３の底面より突き出されるように形成されて、前記中間転がり部１２の高さと幅が内側より外側が高くて広く形成されるか、外側より内側が高くて広く形成されて、前記前方転がり部１１と中間転がり部１２、そして後方転がり部１３の底面が仮想の弧形を描く形状に形成されたことを特徴とする。【選択図】図１
2010214090.tif 000002
【特許請求の範囲】
【請求項１】
前方転がり部１１と中間転がり部１２と後方転がり部１３でなされた靴の底１の底面が弧形をなすように湾曲形成されて、
前記中間転がり部１２は、前記前後方転がり部１１、１３より堅い素材として前記前後方転がり部１１、１３の底面より下側に突き出されるように形成されたことを特徴とする三拍子歩行及び歩行校正用靴の底。
【請求項２】
前記中間転がり部１２の高さと幅が内側より外側が高くて広く形成されたことを特徴とする請求項１に記載の三拍子歩行及び歩行校正用靴の底。
【請求項３】
前記中間転がり部１２の高さと幅が外側より内側が高くて広く形成されることを特徴とする請求項１に記載の三拍子歩行及び歩行校正用靴の底。
【請求項４】
前記靴の底１の内側には底板部２１の中央下部に下敷部２３が下向きに突き出されるように形成されて、底板部２１の前方側内側部分が上側に折曲されるように内側上向折曲部２２が形成された硬質靴の中敷き２０を埋設するが、前記下敷部２３が前記中間転がり部１２に埋設されることを特徴とする請求項２に記載の三拍子歩行及び歩行校正用靴の底。
【請求項５】
前記靴の底１の内側には前記底板部２１の中央下部に前記下敷部２３が下向きに突き出されるように形成されて、前記底板部２１の前方側外側部分が上側に折曲されるように外側上向折曲部２５が形成された前記硬質靴の中敷き２０を埋設するが、前記下敷部２３が前記中間転がり部１２に埋設されることを特徴とする請求項３に記載の三拍子歩行及び歩行校正用靴の底。
【請求項６】
前記後方転がり部１３または前記前後方転がり部１１、１３にクッション手段が具備されたことを特徴とする請求項４または５に記載の三拍子歩行及び歩行校正用靴の底。
【請求項７】
前記クッション手段は、前記靴の底１の靴の底本体１０に肉取り溝部１５が形成されて、前記肉取り溝部１５の底面に底面が弧形に形成されたクッション体１６が付着されることを特徴とする請求項６に記載の三拍子歩行及び歩行校正用靴の底。
【請求項８】
前記クッション手段は、前記靴の底１の前記靴の底本体１０に横方向でトンネル型の通孔１７が貫通形成されたことを特徴とする請求項６に記載の三拍子歩行及び歩行校正用靴の底。
【発明の詳細な説明】
【技術分野】
【０００１】
本発明は、三拍子歩行及び歩行校正用靴の底に関するものであり、より詳細には、靴の底の底面にそれぞれ弧形に形成された３個の転がり部が全体的に弧形で連結形成されながら中間転がり部が堅くて下側に突き出されるように形成されて、前記中間転がり部の高さと幅を内側より外側を高くて広く形成して三拍子歩行をしながら八字歩行を校正することができるようにし、第２実施例として中間転がり部の高さと幅を外側より内側を高くて広く形成して、三拍子歩行をしながらうちわ歩行を校正できるようにするためのものである。
【背景技術】
【０００２】
従来の八字歩行を校正する靴の底に対しては、韓国実用新案登録第１９８６９７号（名称：履物用インソール）が知られている。
【０００３】
前記従来の考案は、履物用インソールの底面部に全長さにかけて外方へ行くほど上向き傾斜を有して、緩衝性が優秀なクッション材を付着することで、歩行時に非正常的な歩行習慣及び八字歩行などを自然に校正できるようにしたものである。
【０００４】
しかし、これは外方へ行くほど上向き傾くように形成されたクッション材をインソールの底面部に全長さにかけて付着させることによって常に足裏は内方へ傾けられて足首上側の足は垂直するように立っているようになって、長期間の使用時足首部分が常に傾いた状態を継続的に維持するようになる。
【０００５】
上のように足首が傾くように曲げられた状態で長時間経過すると足首の筋肉と神経が非正常的に曲げられた状態で固着するようになって、そのように足首が曲がった状態で足首に体重がかかることによって足首が損傷されるようになる問題があった。
【発明の概要】
【発明が解決しようとする課題】
【０００６】
本発明は、前記の問題点を解決するためのものであり、靴の底の底面中央部に底面が弧形で堅く形成された中間転がり部を下側に突き出されるように形成して、前記中間転がり部の高さと幅が内側より外側が高くて広く形成して、足裏の底面中央部が地面を踏む瞬間だけツマ先が内方へ回転して、足裏の前後方側が地面を踏む時はツマ先が歩いていた方向を向くことによって中間転がり部のみで足首が瞬間的に回転して、足首に無理にならないで、三拍子歩行と共に八字歩行を校正できるようにして、それと併せて前記中間転がり部の前後方に底面が弧形に形成された前後方転がり部を形成するが、前記前方転がり部と中間転がり部と後方転がり部の底面が仮想の弧形を描く弧形状に形成して正しい姿勢を誘導するようにする転がり歩行が共にできるようにすることを目的とする。
【０００７】
また、第２実施例として靴の底の底面中央部に下側に突き出されるように形成する中間転がり部の高さと幅が外側より内側を高くて広く形成して足裏の底面中央部が地面を踏む瞬間だけツマ先が外方へ回転して足裏の前後方側が地面を踏む時はツマ先が歩く方向を向くことによって足首の回転運動が円滑になって足首に無理にならないで、三拍子歩行とともにうちわ歩行を校正できるようにすることをまた他の目的とする。
【課題を解決するための手段】
【０００８】
前記の目的を達成するためになされた本発明は、底面がそれぞれ弧形に形成される前方転がり部と中間転がり部と後方転がり部でなされた靴の底の底面が全体的に弧形に形成されて、前記中間転がり部は前後方転がり部より堅い素材として前後方転がり部の底面より下側に突き出されるように形成されて、前記中間転がり部の高さと幅が内側より外側が高くて広く形成されて、三拍子歩行とともに八字歩行を校正できるようにして、第２実施例として前記中間転がり部の高さと幅が外側より内側が高くて広く形成されて三拍子歩行と併せてうちわ歩行を校正できるようにし、前記中間転がり部前後方の靴の底の底面には底面が弧形に形成されて、底面の高さが中間転がり部の底面より高く前後方転がり部を形成するが、前記前方転がり部と中間転がり部、そして後方転がり部の底面が仮想の弧形を描く形状に形成されたことを特徴とする。
【発明の効果】
【０００９】
以上で説明したような本発明の三拍子歩行及び歩行校正用靴の底は、靴の底の底面にそれぞれ弧形に形成された３個の転がり部が全体的に弧形で連結形成されながら中間転がり部が堅くて下側に突き出されて、きびす、中央、ツマ先の手順で自然に転がる三拍子の転がり歩行が円滑になされて、真っ直ぐで正しい姿勢を誘導して元気な体形を維持できるようにする効果がある。
【００１０】
また、靴の底の中央部底面に形成する中間転がり部の高さと幅などの傾けられた方向によって三拍子歩行をすると共に八字歩行とうちわ歩行を校正する特別に優秀な効果があり、この時、中間転がり部で転がり作用をする時のみに中間転がり部の傾いた方向にツマ先が回転するようになって、ツマ先及びきびす、すなわち、前後方転がり部が地面を踏む時はツマ先及びきびすが進行する方向に向けられるように足首が動くので、足首に柔軟に鍛錬させながら八字歩行とうちわ歩行を校正することができる非常に有益な効果があるものである。
【図面の簡単な説明】
【００１１】
【図１】本発明による靴の底の実施例を示す底面斜視図である。
【図２】図１に示された実施例の靴の底に設置される硬質靴の中敷きの斜視図である。
【図３】本発明による靴の底の第１実施例を示す図面として、底面斜視図である。
【図４】本発明による靴の底の第１実施例を示す図面として、図３に示された実施例の靴の底に設置される硬質靴の中敷きの斜視図である。
【図５】本発明による靴の底の第１実施例を示す図面として、実施例による靴の底を示す底面図である。
【図６】本発明による靴の底の第１実施例を示す図面として、図５のＢ−Ｂ線の断面図である。
【図７】本発明による靴の底の第１実施例を示す図面として、図５のＣ−Ｃ線の断面図である。
【図８】本発明による靴の底の第２実施例を示す図面として、底面斜視図である。
【図９】本発明による靴の底の第２実施例を示す図面として、図８に示された第２実施例の靴の底に設置される硬質靴の中敷きの斜視図である。
【図１０】本発明による靴の底の第２実施例を示す図面として、第２実施例による靴の底を示す底面図である。
【図１１】本発明による靴の底の第２実施例を示す図面として、図１０のＦ−Ｆ線の断面図である。
【図１２】本発明による靴の底の第２実施例を示す図面として、図１０のＧ−Ｇ線の断面図である。
【図１３】本発明の各実施例による靴の底に共通的に適用される構造を示す図面として、本発明による靴の底に具備されるクッション手段の第１の実施例を示す断面図である。
【図１４】本発明の各実施例による靴の底に共通的に適用される構造を示す図面として、本発明による靴の底に具備されるクッション手段の第２の実施例を示す断面図である。
【図１５】本発明の各実施例による靴の底に共通的に適用される構造を示す図面として、本発明による靴の底に具備されるクッション手段の第３の実施例を示す断面図である。
【図１６】本発明の各実施例による靴の底に共通的に適用される構造を示す図面として、本発明による靴の底に具備されるクッション手段の第４の実施例を示す断面図である。
【図１７】本発明の各実施例による靴の底に共通的に適用される構造を示す図面として、図１３に表示された“Ａ”部を拡大して示した断面図である。
【発明を実施するための形態】
【００１２】
以下、本発明による三拍子歩行及び歩行校正用靴の底に対して添付図面の図１ないし図１７を参照して説明する。
【００１３】
先ず、図３ないし図７は、八字歩行を校正することができるようにする実施例の靴の底に対する図面であり、図８ないし図１２はうちわ歩行を校正することができるようにする第２実施例の靴の底に対する図面であり、図１及び図２は、歩行校正はしないで三拍子歩行のみをするようにする実施例の三拍子歩行用靴の底を示す図面であり、図１３ないし図１７は、前記各実施例の靴の底に共通的に適用される構造を示す図面である。
【００１４】
中間転がり部１２は底面が弧形に形成された共通的な形状に形成できるが、図１に形成される実施例は、半円筒形に形成されたものであり、図３と図８に示されたそれぞれの中間転がり部１２は、半円錐台形状に形成されたものであり、図３に示された実施例と図８に示された実施例は、底面の傾いた方向がお互いに反対方向に形成されたものである。
【００１５】
先ず、図１及び図２に示された本発明の靴の底１に対する実施例は、靴の底１の底面中央部には底面が弧形に形成された中間転がり部１２を下向きに突き出されるように形成され、中間転がり部１２前後方の靴の底１の底面には底面が弧形に形成されて、底面の高さが中間転がり部１２の底面より高く前後方転がり部１１、１３を形成するが、前記前方転がり部１１と中間転がり部１２、そして後方転がり部１３の底面が仮想の弧形を描く形状に形成される。
【００１６】
この時、それぞれの前後方転がり部１１、１３と中間転がり部１２は底面がすべて弧形に形成され、３個の転がり部１１、１２、１３が連結される部分には谷間部１４が形成されて、三拍子歩行を補助的に役に立つようにするが、これに対する説明は後述する。
【００１７】
そして、図２及び図１３のように前記靴の底１の靴の底本体１０内側には底板部２１の中央下部に下敷部２３が下向きに突き出されるように形成された硬質靴の中敷き２０を埋設するが、前記下敷部２３は中間転がり部１２の内部に埋設される。
【００１８】
次は、図３ないし図７と図１３ないし図１７を参照して、第２実施例である八字歩行校正用靴の底に対して説明する。
【００１９】
図３ないし図６のように靴の底１の底面中央部には、底面が弧形に形成された中間転がり部１２を下向きに突き出されるように形成するが、この中間転がり部１２は円錐台を半分程度切断した半円錐台形状で中間転がり部１２の高さと幅が内側より外側が高くて広く形成される。
【００２０】
図６に表示された“ｔ”は、中間転がり部１２の高さが内側は低く外側が高いことを示しているものである。
【００２１】
そして、前記靴の底１の靴の底本体１０内側には、底板部２１の中央下部に下敷部２３が下向きに突き出されるように形成され、底板部２１の前方側内側部分が上側に折曲されて足裏の内側前方を上側に上がるように支持する内側上向折曲部２２が形成された硬質靴の中敷き２０が埋設される。
【００２２】
この時、前記下敷部２３の底面に支持面２４を平たくまたは厚形で選択的に形成して支持面積を拡大することができるようにし、前記下敷部２３が中間転がり部１２の内側に埋設されるように設置されているため、中間転がり部１２が収縮せず、靴の底１の中間転がり部１２がシーソーの支柱役割と同一な機能をするようにする。
【００２３】
図１３ないし図１７には、前記靴の底１が前方転がり部１１と中間転がり部１２、そして後方転がり部１３の底面が仮想の弧形を描く仮想弧形曲線４を示し、その仮想弧形曲線４より中間転がり部１２の底面が下側に所定の高さ（ｈ）程度が下側に突き出されたことを示している。
【００２４】
前記前方転がり部１１と中間転がり部１２、そして後方転がり部１３の底面がそれぞれ弧形に形成されることによって前方転がり部１１と中間転がり部１２が連結される部分と、中間転がり部１２と後方転がり部１３が連結される部分には谷間部１４が形成されるようになる。
【００２５】
そして、前記靴の底１の後方転がり部１３または前後方転がり部１１、１３にクッション手段が設置されるが、クッション手段を設置することによって図１３ないし図１６でクッション手段の第１ないし第４実施例で区分して図示した。
【００２６】
先ず、図１３に示したクッション手段の第１実施例は、靴の底本体１０の後方側底面に肉取り溝部１５を形成した後に、その肉取り溝部１５の底面に底面が弧形に形成されたクッション体１６を付着したものであり、図１４に示したクッション手段の第２実施例は、靴の底本体１０の前後方側底面に肉取り溝部１５をそれぞれ形成した後に、そのそれぞれの肉取り溝部１５底面に底面が弧形に形成されたクッション体１６を付着したものである。
【００２７】
この時、前記クッション体１６は靴の底本体１０より軟質でクッション力が優秀な材料として形成するが、通常的にポリウレタンを発泡させて靴の底本体１０よりはやんわりと形成して、このポリウレタンを発泡させて形成されるクッション体１６の外部面にビニールのような加水分解が起きない防水カバーを形成することが望ましい。
【００２８】
図１５に示したクッション手段の第３実施例の場合は、靴の底本体１０の後方に横方向に少なくとも１個以上のトンネル型の通孔１７を貫通形成して靴の底本体１０からトンネル型の通孔１７程度の肉が取れることによってトンネル型の通孔１７部分でクッション作用をするようにするものであり、図１６に示した第４の実施例は、クッション手段になるトンネル型の通孔１７を靴の底本体１０の後方に横方向で形成したものである。
【００２９】
以上で説明したクッション手段外にも図面には示さなかったが、靴の底本体１０の後方やまたは前後方に公知された履物用エアバッグを埋設した状態で靴の底本体１０を成形することもできる。
【００３０】
図８ないし図１２は、第２実施例のうちわ歩行校正用靴の底１を示した図面であり、この場合は図３ないし図７を参照して説明した実施例の靴の底１において中間転がり部１２が形成された方向が反対に形成されて、硬質靴の中敷き２０に形成された内側上向折曲部２２と同一な機能をする外側上向折曲部２５が第２実施例の靴の底１では、内側上向折曲部２２とは反対方向に形成されたことだけ異なって残りはすべてが同一であるので、同一な部分に対する説明は省略する。
【００３１】
すなわち、第２実施例の靴の底１は、図８ないし図１２のように靴の底１の底面中央部に底面が弧形に形成された中間転がり部１２を下向きに突き出されるように形成するが、この中間転がり部１２の高さと幅が外側より内側が高くて広く形成される。
【００３２】
そして、前記靴の底１の内側には底板部２１の中央下部に下敷部２３が下向きに突き出されるように形成され、底板部２１の前方側外側部分が上側に折曲されて足裏の前方外側を上側にあげるように支持する外側上向折曲部２５が形成された硬質靴の中敷き２０が埋設される。
【００３３】
この時、前記下敷部２３の底面に支持面２４を選択的に形成して支持面積を拡大するようにし、前記下敷部２３が中間転がり部１２の内側に埋設されるように設置されているため、中間転がり部１２が収縮せず、靴の底１の中間転がり部１２がシーソーの支柱役割と同一な機能をするようにする。
【００３４】
以下、図１３ないし図１７のように前記中間転がり部１２前後方の靴の底１の底面には底面が弧形に形成された前後方転がり部１１、１３を中間転がり部１２より低く形成した構造と靴の底１にクッション手段を設置することは図３ないし図７を土台に説明した実施例の靴の底１と同一であるので、同一な部分に対する具体的な説明は省略する。
【００３５】
図面符号のうち未説明符号“２”は、ノンスリップ靴の底であり、このノンスリップ靴の底２は、図１５、１６に示したクッション手段の第３、第４の実施例の場合は靴の底本体１０の底面にノンスリップ部を凹凸形態（図示せず）で直接形成して、ノンスリップ靴の底２を別に付着しないこともある。
【００３６】
そして、各実施例の靴の底１に挿入される硬質靴の中敷き２０には多数個の通孔２６を形成して、靴の底本体１０を成形するウレタン素材が前記通孔を通じて硬質靴の中敷き２０が靴の底本体１０と堅固に結合されるようにする。
【００３７】
前記のように構成されている本発明の作用関係を図１ないし図１７を参照して説明する。
【００３８】
本発明による靴の底１が甲皮３に付着された履物を着して歩行をするようになると、靴の底１の後方下側、すなわちかかとに対応する後方転がり部１３の後方下側が地面と触れるようになって、引き継いで中間転がり部１２と前方転がり部１１の底面が順に地面に接触して転がり歩行をするようになる。
【００３９】
このような転がり歩行をする時、後方転がり部１３側に設置されたクッション手段によってかかとに作用する衝撃を吸収するようになって、引き継いで中間転がり部１２が地面を踏む時は、中間転がり部１２が図１３及び図１７のように前後方転がり部１１、１３より下側で所定の高さ（ｈ）程度突き出されていながら、その中間転がり部１２の内側に硬質靴の中敷き２０の下敷部２３と支持面２４が埋設されていることによってきびす側の後方転がり部１３が早く持ち上げられながら前方側に傾けられるようになる。
【００４０】
前記のように前方側に傾けられることは中間転がり部１２の内側に埋設された下敷部２３がシーソーの支柱役割をするためであり、この下敷部２３によって中間転がり部１２の収縮が前後方転がり部１１、１３よりは足りなくて中間転がり部１２がシーソーの支柱役割をしながら前方側に傾けられるようにする。
【００４１】
このように中間転がり部１２によって前方に早く傾けられた後にはその前方の前方転がり部１１が地面を踏みながら自然に三拍子転がり歩行をするようになるものであり、履物及び足裏が三拍子転がり歩行に該当するように動くことによって着用者の身体もその転がり歩行に対応するように足裏から首部分までの筋肉及び神経が即刻に対応して、身体の均衡を維持して歩行ができるようにする。
【００４２】
このような状況で図１及び図２に示した実施例の靴の底の場合には、中間転がり部１２の形状が円筒を半分程度切断した半円筒形で後方転がり部１３と中間転がり部、そして前方転がり部１１が順に転がる三拍子転がり作用で歩く方向に三拍子の転がり歩行がなされて八字歩行やうちわ歩行のような非正常的な歩みではない正常な歩行をする一般人らに三拍子転がり歩行をするようにするものである。
【００４３】
前記のように転がり歩行をする過程で図３及び図５、６に示した実施例の靴の底の場合には中間転がり部１２の底面が地面を踏む時、前記中間転がり部１２が円錐台を半分で切断した半円錐台形態で内側より外側が高さと幅が高くて広くて、中間転がり部１２が傾けられた程度履物の内側方向の仮想の回転中心点（ｘ）を中心に“Ｄ”のように内側を回転するようになる。
【００４４】
このように履物が内側方向に回転するようになることは、サイクル専用運動場に形成したヴェロドローム（ｖｅｌｏｄｒｏｍｅ）で内側が低く外側が高くトラックを形成したことと類似な作用関係を見せるものである。
【００４５】
前記のように中間転がり部１２によってツマ先が内側方向へ回転する時足裏の外側部分が上側に上がって足裏の内側部分は内側方向へ傾けられた状態であるので、足首が弱い場合には足首が無理になることがある。
【００４６】
したがって、図４及び図７のように硬質靴の中敷き２０の前方側内側が上向き折曲された内側上向折曲部２２が形成されて、足裏の外側部分が上側に上がった状態で反対側の内側部分を内側上向折曲部２２が上側にあげてくれて足裏の前部は常に平衡を維持するようになって足首に無理にならないようにする。
【００４７】
上のように内側上向折曲部２２によって足裏の前方側が平衡状態になった状態で足裏の中間部分と足首部分が半円錐台型の中間転がり部１２によって内側を回転する過程で八字歩行を校正することができるようになるものであり、中間転がり部１２で内側方向へ足首が回るようになった後に前方転がり部１１が地面を踏む時は足首が内側方向へ回転することを止めるようになる。
【００４８】
このようにツマ先が内側方向への回転が止められながら前方転がり部１１では歩く方向に転がり作用がなされるようになって、引き継いで継続的な歩行で後方転がり部１３が地面を踏んで、その次にまた再び中間転がり部１２が地面を踏む動作を繰り返し的にすることによって足首は中間転がり部１２が地面を踏む時だけ内側方向へ回転して、前後方転がり部１１、１３が地面を踏む時は足首が回転しなくて足首は継続的に内側での回転と、その回転が止められて直線歩行することを継続的に繰り返して足首がリズミカルな回転運動をして、八字歩行を校正することができると共に、足首を柔軟に鍛えることができるようになるものである。
【００４９】
そして、本発明で靴の底本体１０の後方やまたは前後方に軟質の合成樹脂材でなされたクッション体１６や、またはトンネル型の通孔１７を形成したクッション手段が具備されていて、転がり歩行時地面を踏む時に発生する衝撃を前記クッション手段がその衝撃を減殺して安楽な歩行ができるようにするものである。
【００５０】
前記のように靴の底１によって転がり歩行をする時、前方転がり部１１と中間転がり部１２との間、そして中間転がり部１２と後方転がり部１３との間には谷間部１４が形成されていることによって谷間部１４で地面との摩擦抵抗が減少されて前後方転がり部１１、１３での歩行方向への転がり歩行と、中間転がり部１２での回転が早くて円滑になされて真っ直ぐで正しい姿勢を誘導する三拍子転がり歩行と八字歩行校正が共にできるようになるものである。
【００５１】
次は、図８ないし図１２を参照してうちわ歩行を校正することに対して説明をするが、上記で八字歩行を校正することを説明する時共に説明した三拍子転がり歩行に関連される説明は上記の説明と同一であるので省略する。
【００５２】
すなわち、歩行を開始して後方転がり部１３が地面を踏んでその次に中間転がり部１２が地面を踏む時、中間転がり部１２が図８及び図１０、１１のように半円錐台型で内側が外側より幅と高さが広くて大きく形成されて中間転がり部１２が地面を踏む時足首は外側に回るようになる。
【００５３】
それと共に足裏の内側部分が上がって外側は上がるようになるが、図９及び図１２でのように靴の底１に埋設された硬質靴の中敷き２０の前方外側が上側に曲げられた外側上向折曲部２５が足裏の前方外側を上側にあげながら支えて、足裏の前部が平行を維持しながらツマ先が外側に回るようになる。
【００５４】
引き継いで、前方転がり部１１が地面を踏むようになると、中間転がり部１２によって外側方向へ回っていた回転運動が止められながら歩行していた方向にツマ先が復元されて転がり作用がなされるようになって、足首は直線と外側の回転を繰り返しながらうちわ歩行を校正して、足首の筋肉を柔軟に鍛錬させるようになるものである。
【符号の説明】
【００５５】
１  靴の底
２  ノンスリップ靴の底
３  甲皮
４  仮想弧形曲線
１０  靴の底本体
１１  前方転がり部
１２  中間転がり部
１３  後方転がり部
１４  谷間部
１５  肉取り溝部
１６  クッション体
１７  トンネル型の通孔
２０  硬質靴の中敷き
２１  底板部
２２  内側上向折曲部
２３  下敷部
２４  支持面
２５  外側上向折曲部
２６  通孔
【図１】
2010214090.tif 000003
【図２】
2010214090.tif 000004
【図３】
2010214090.tif 000005
【図４】
2010214090.tif 000006
【図５】
2010214090.tif 000007
【図６】
2010214090.tif 000008
【図７】
2010214090.tif 000009
【図８】
2010214090.tif 000010
【図９】
2010214090.tif 000011
【図１０】
2010214090.tif 000012
【図１１】
2010214090.tif 000013
【図１２】
2010214090.tif 000014
【図１３】
2010214090.tif 000015
【図１４】
2010214090.tif 000016
【図１５】
2010214090.tif 000017
【図１６】
2010214090.tif 000018
【図１７】
2010214090.tif 000019